(57)【要約】【課題】定着部への供給電力と記録媒体の搬送間隔を適切に制御し、高品位な画像出力を可能にすることである。【解決手段】記録媒体に形成された画像を熱定着する定着手段を備えた画像形成装置において次の制御を行う。即ち、電力供給手段より電力を供給して前記定着手段を加熱し、前記定着手段の温度を検出し、前記電力供給手段により供給される供給電力を検出する。次に、前記検出される温度と前記検出される電力とに基いて、記録媒体の定着の間隔を制御する。【選択図】  図３
2017181583.tif 000002
【特許請求の範囲】
【請求項１】
記録媒体に形成された画像を熱定着する定着手段と、
前記定着手段の温度を検出する第１の検出手段と、
前記定着手段を加熱する加熱手段と、
前記加熱手段に電力を供給する電力供給手段と、
前記電力供給手段により前記加熱手段に供給される供給電力を検出する第２の検出手段と、
前記第１の検出手段により検出される温度と、前記第２の検出手段により検出される電力とに基いて、記録媒体の定着の間隔を制御する制御手段とを有することを特徴とする画像形成装置。
【請求項２】
前記制御手段は、
前記第１の検出手段により検出される温度が、予め定められた目標温度を維持しており、前記第２の検出手段により検出される電力が、前記電力供給手段により供給可能な電力を最大限使用している状態と評価される場合、または、前記第１の検出手段により検出される温度が、前記目標温度を維持していないが、前記第２の検出手段により検出される電力が、前記電力供給手段により供給可能な電力を最大限使用していない状態と評価される場合に前記定着の間隔を維持し、
前記第１の検出手段により検出される温度が、前記目標温度を維持しており、前記第２の検出手段により検出される電力が、前記電力供給手段により供給可能な電力を最大限使用していない状態と評価される場合に前記定着の間隔を短縮するように調整し、
前記第１の検出手段により検出される温度が、前記目標温度を維持しておらず、前記第２の検出手段により検出される電力が前記電力供給手段により供給可能な電力を最大限使用してる状態と評価される場合に前記定着の間隔を延長するように調整することを特徴とする請求項１に記載の画像形成装置。
【請求項３】
前記第１の検出手段により検出される温度が、予め定められた目標温度を維持しているかどうかを評価する第１の評価手段をさらに備え、
前記第１の評価手段は、
前記第１の検出手段により検出される温度から前記定着手段の代表温度を算出する算出手段を有し、
前記算出手段により算出された代表温度が前記目標温度以上であるときに、前記目標温度を維持していると評価し、前記代表温度が前記目標温度未満であるときに、前記目標温度を維持していないと評価することを特徴とする請求項２に記載の画像形成装置。
【請求項４】
前記算出手段は、前記第１の検出手段により検出されたｎ個の温度の平均値、又は、最大値、又は、最小値、又は、前記ｎ個の温度のうち、予め定められた時間の間に得られた温度の平均値を前記代表温度として算出することを特徴とする請求項３に記載の画像形成装置。
【請求項５】
前記第２の検出手段により検出される電力が、前記電力供給手段により供給可能な電力を最大限使用している状態かどうかを評価する第２の評価手段をさらに備え、
前記第２の評価手段は、
前記第２の検出手段により検出される電力が、予め定められた時間の間に、予め定められた目標電力に達した回数を計数する計数手段を有し、
前記計数手段により計数された回数が前記予め定められた回数以上である場合には、電力を最大限、使用している状態であると評価し、前記計数された回数が前記予め定められた回数未満である場合には、電力を最大限、使用していない状態であると評価することを特徴とする請求項３に記載の画像形成装置。
【請求項６】
前記目標電力は、前記画像形成装置の動作モード、オプション構成により決定され、
前記目標温度は、前記画像形成装置の周囲環境や前記記録媒体の種類により決定されることを特徴とする請求項３又は５に記載の画像形成装置。
【請求項７】
前記第１の評価手段による評価と前記第２の評価手段による評価は、印刷ジョブの実行中、Ｎ枚の記録媒体に対する前記定着手段による熱定着が終了するたび毎に行われることを特徴とする請求項５に記載の画像形成装置。
【請求項８】
記録媒体に形成された画像を熱定着する定着手段を備えた画像形成装置の制御方法であって、
電力供給手段より電力を供給して前記定着手段を加熱する加熱工程と、
前記定着手段の温度を検出する第１の検出工程と、
前記電力供給手段により供給される供給電力を検出する第２の検出工程と、
前記第１の検出工程において検出される温度と、前記第２の検出工程において検出される電力とに基いて、記録媒体の定着の間隔を制御する制御工程とを有することを特徴とする制御方法。
【発明の詳細な説明】
【技術分野】
【０００１】
本発明は画像形成装置、及びその制御方法に関し、特に、例えば、電子写真方式に従って記録媒体に形成された画像を熱定着する画像形成装置、及びその制御方法に関する。
【背景技術】
【０００２】
従来、電子写真方式を採用した複写機やプリンタ等の画像形成装置では、シート状の記録媒体に転写されたトナー像を定着部において熱定着させている。この場合、定着部のローラの表面温度は記録媒体との接触に伴い低下するため、次の記録媒体が定着部に搬送されてくるまでの間にヒータによりローラの温度を上昇させる。この時、定着部は供給される電力とトナー像を定着させるのに必要な熱量の需給バランスによって温度を一定に保つように制御される。
【０００３】
しかしながら、次々に定着部に記録媒体が搬送されてくると、周囲の環境温度や湿度、記録媒体の搬送間隔や記録媒体の種類によっては、定着部に供給される電力とトナー像を定着させるのに必要な熱量の需給バランスが崩れる可能性がある。例えば、供給できる上限電力よりもトナー像を定着させるのに必要な熱量の方が大きい場合には、定着部の温度が下がってしまい記録媒体上のトナー像の定着性が損なわれる可能性がある。
【０００４】
そこで、上記のような状況に対応すべく、特許文献１は、定着部の温度に応じて記録媒体の搬送速度や記録媒体の搬送間隔を変化させる方法を提案している。
【先行技術文献】
【特許文献】
【０００５】
【特許文献１】特許第４９３９２４１号公報
【発明の概要】
【発明が解決しようとする課題】
【０００６】
しかしながら、特許文献１で提案するように定着部の温度に応じて記録媒体の搬送間隔を変更する場合、目標温度を維持できているからといって狭い紙間にしてしまうと、電力が不足している場合には定着中の温度低下を招いてしまう。その結果、記録媒体上のトナー像の定着性が損なわれてしまうという課題がある。
【０００７】
図５は、電力が不足している（消費電力が上限電力に達している）ときに記録媒体の搬送間隔（紙間）を狭くした場合の定着部の定着温度（Ｔｆ）と消費電力（Ｐｆ）の時間変化を示す図である。定着中は目標温度（Ｔｔａｒｇｅｔ）と下限温度の間の温度を維持するように供給電力を決定するので、温度が下がってきている場合、消費電力は増加し、供給できる上限電力で頭打ちとなる。上限電力に達した場合は、それ以上熱量を増加させることはできないので、温度低下を防ぐことができない。
【０００８】
図５の例では、１枚目の定着中は目標温度と下限温度の間の温度を維持できており、紙間は狭いままにしている。しかし、電力が目標電力（Ｐｔａｒｇｅｔ）を超え、供給できる上限電力に達しており熱量が不足しているため、２枚目の定着中に定着部のローラから熱が奪われてしまい、定着温度（Ｔｆ）は２枚目の途中で下限温度を下回ってしまい定着性が損なわれてしまう。
【０００９】
本発明は上記従来例に鑑みてなされたもので、定着部への供給電力と記録媒体の搬送間隔を適切に制御し、高品位な画像出力を可能にする画像形成装置、及びその制御方法を提供することを目的としている。
【課題を解決するための手段】
【００１０】
上記目的を達成するために本発明の画像形成装置は次のような構成からなる。
【００１１】
即ち、記録媒体に形成された画像を熱定着する定着手段と、前記定着手段の温度を検出する第１の検出手段と、前記定着手段を加熱する加熱手段と、前記加熱手段に電力を供給する電力供給手段と、前記電力供給手段により前記加熱手段に供給される供給電力を検出する第２の検出手段と、前記第１の検出手段により検出される温度と、前記第２の検出手段により検出される電力とに基いて、記録媒体の定着の間隔を制御する制御手段とを有することを特徴とする。
【発明の効果】
【００１２】
従って本発明によれば、供給可能な電力を有効に用いながら良好な熱定着を実現し、高品位な画像出力を実現することができるという効果がある。
【図面の簡単な説明】
【００１３】
【図１】本発明の代表的な実施例である電子写真方式に従って画像を形成する画像形成装置の構成を示す側断面図である。
【図２】図１に示す画像形成装置の制御構成を示すブロック図である。
【図３】熱定着制御処理を示すフローチャートである。
【図４】本発明の記録媒体の間欠搬送と消費電力と定着温度の時間変化の関係を示す図である。
【図５】従来の電力不足の場合の記録媒体の間欠搬送と消費電力と定着温度の時間変化の関係を示す図である。
【発明を実施するための形態】
【００１４】
以下添付図面を参照して本発明の好適な実施例について、さらに具体的かつ詳細に説明する。
【００１５】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１６】
また、「記録媒体」とは、一般的な記録装置で用いられる紙のみならず、広く、布、プラスチック・フィルム、金属板、ガラス、セラミックス、木材、皮革等も含む。
【００１７】
＜画像形成装置の概要（図１〜図２）＞
図１は本発明の代表的な実施例である電子写真方式に従って画像形成を行う画像形成装置の概略構成を示す側断面図である。
【００１８】
図１に示されるように、画像形成装置１００には、図１の下側（シート状の記録媒体の搬送方向上流）から上側（記録媒体の搬送方向下流）に向かって順に、給送部１０、画像形成部２０、定着部３０、排出部４０が設けられている。また、画像形成部２０、定着部３０の右側には、再給送部５０が設けられている。
【００１９】
給送部１０は、給送カセット１１や手差しトレイ１６に積載された、例えば、シート状のカット紙Ｐのような記録媒体を画像形成部２０へ給送する。センサＳ１は、給送カセット１１にカット紙Ｐが収納されているかどうかを検知するセンサである。給送カセット１１に収納されたカット紙Ｐは、ピックアップローラ１２が回転することによって分離ローラ対１３へ給送される。カット紙Ｐが重送している場合は、正転ローラと反転ローラとからなる分離ローラ対１３によって１枚に分離され、実線で示す給送パスＰＳ１に搬送される。給送パスＰＳ１に搬送されたカット紙Ｐはさらに給送ローラ対１４によって搬送され、回転を停止しているレジストローラ対１５のニップでその先端が倣うことでカット紙Ｐの斜行が矯正される。
【００２０】
センサＳ２は、カット紙Ｐの先端がレジストローラ対１５のニップに到達するタイミングを検知する。
【００２１】
手差しトレイ１６からカット紙Ｐを給送する場合は、供給ローラ１７および分離パッド１８によってカット紙を１枚１枚に分離して装置内に引き込む。そして、供給ローラ対１９によって給送ローラ対１４に搬送され、レジストローラ対１５でカット紙Ｐの斜行が矯正される。斜行が矯正されたカット紙Ｐは、所定のタイミングで回転するレジストローラ対１５によって画像形成部２０に搬送される。
【００２２】
カット紙の搬送間隔は、レジストローラ対１５を回転させるタイミングを変化させることで調整される。
【００２３】
画像形成部２０では、感光ドラム２１がその表面を帯電ローラ２２によって均一に帯電されている。レーザユニット２３から画像情報に対応したレーザ光が照射される。感光ドラム２１のレーザ光が照射された部分は、帯電ローラ２２によって帯電されていた電荷が除去され、画像情報に対応した静電潜像が形成される。ここで形成された静電潜像は、現像ローラ２４によって現像剤（トナー）が付着されることで、トナー像として可視化される。
【００２４】
次に、レジストローラ対１５から搬送されてきたカット紙Ｐは、転写ローラ２５と感光ドラム２１のニップ部Ｎ１で挟持され、転写ローラ２５と感光ドラム２１の回転に従ってトナー像が転写される。このようにして、トナー像が形成されたカット紙Ｐは、定着部３０へと搬送される。
【００２５】
定着部３０は、内部に配置されたハロゲンランプ等の熱源により所定の定着温度に加熱されたアルミローラ等で構成される定着ローラ３１と、定着ローラ３１に接触して所定の圧力で定着ローラ３１を加圧する加圧ローラ３２とによって構成される。定着ローラ３１と加圧ローラ３２とによって形成される定着ニップ部Ｎ２に、トナー像が形成された記録媒体Ｐがに送り込まれて、定着ローラ３１と加圧ローラ３２とで挟持搬送され加熱加圧されることで、トナー像がカット紙Ｐ上に定着される。
【００２６】
センサＳ３は、カット紙Ｐの後端が定着ニップ部Ｎ２を通過したことを検知する。
【００２７】
なお、定着部３０は、定着ローラで加熱する方式の替わりにセラミックヒータ等の熱源を端部レスフィルムを介して加圧ローラが加圧することで定着ニップ部を形成し、そのニップ部でカット紙を挟持搬送しながら加熱加圧するオンデマンド方式を用いても良い。
【００２８】
最後に、トナー像が定着されたカット紙Ｐは、排出部４０へと搬送され、排出ローラ対４１によって排出トレイ４２へと排出される。
【００２９】
なお、カット紙Ｐに対して両面印刷を行う場合、排出ローラ対４１が逆転して、表面への画像を形成したカット紙Ｐを再給送部５０へと送り込む。そして、搬送ローラ対５１、５２、５３により給送パスＰＳ１を搬送されて、再び、レジストローラ対１５へと送り込まれる。これにより、カット紙Ｐの裏面への画像形成がなされる。その画像形成と定着とは上述の通りである。
【００３０】
図２は図１に示した画像形成装置の制御構成を示すブロック図である。
【００３１】
図２に示すように、画像形成装置１００はＡＣ電源１１１から供給される電力によって動作し。メイン電源部１１２、制御基板１１３、定着部３０、画像形成部２０から構成される。定着部３０は、発熱体１１８と発熱体１１８の温度を検出するサーミスタ１２０を備えた定着ローラ３１を備える。制御基板１１３は、ＣＰＵ１２１と、ＲＯＭとＲＡＭとを含むメモリ１２２とを実装する。ＣＰＵ１２１はＡ／Ｄ変換機能を備え、サーミスタ１２０によって検出した定着ローラ３１のアナログ温度情報を入力し、これをデジタルデータに変換して温度データとして入力する。
【００３２】
メイン電源部１１２は、制御基板１１３のＣＰＵ１２１に駆動電圧Ｖccを供給するためＡＣ電源１１１からの交流電圧を直流電圧に変換するダイオード１２４とＤＤＣ１２３とを含む。メイン電源部１１２はさらに、発熱体（ヒータ）１１８への電力供給をＯＮ／ＯＦＦするＴＲＩＡＣ１１６、発熱体１１８に通電される電力を検出する電力検知部１２５、交流電圧のゼロクロスを検出するゼロクロス検出回路１１５を含む。
【００３３】
電力検知部１２５は図２に示されるように、ＡＣ電源１１１からの電力供給線に対して直列、及び並列に接続され、ＡＣ電源１１１からの電流と電圧とを測定し、これらの積から電力を検知する。このようにして検知された電力を示すアナログ信号は、ＣＰＵ１２１へと出力され、ＣＰＵ１２１ではこれをデジタル信号に変換し、電力データとして入力する。
【００３４】
さて、サーミスタ１２０によって検出される定着ローラのアナログ温度情報はデジタルデータとしてＣＰＵ１２１に入力され、ＣＰＵ１２１はそのデータが示す温度によって、ＴＲＩＡＣ１１６を制御し、発熱体１１８の発熱を制御する。
【００３５】
また、電力検知部１２５で検出される電力データによっても、ＣＰＵ１２１はＴＲＩＡＣ１１６の動作を制御する。
【００３６】
サーミスタ１２０による温度検出と電力検知部１２５による電力の検出は一定の間隔、もしくは任意のタイミングで行われるが、この実施例では、説明を簡単にするために、こ一定の間隔で常時行われるものとする。
【００３７】
次に、以上のような構成の画像形成装置を用い、記録媒体に形成された画像の熱定着制御について説明する。
【００３８】
図３は画像形成装置が実行する熱定着制御処理を示すフローチャートである。この処理では発熱体のＰＩ制御を開始するかを判断する。
【００３９】
まず、ステップＳ３１では発熱体１１８の目標温度（Ｔｔａｒｇｅｔ）とＡＣ電源１１１から供給される電力の供給可能な上限電力よりも低い目標電力（Ｐｔａｒｇｅｔ）を設定する。目標温度は画像形成装置１００の周囲環境や画像形成に用いるカット紙の種類などにより決定され、カット紙に転写されたトナーを安定的に定着するのに必要最低限の温度である。一方、供給可能な上限電力は画像形成装置の動作モード、オプション構成などにより決定される。供給電力が目標電力を超えた場合、電力が上限に達しており、電力が不足している状態であると判定する。
【００４０】
ステップＳ３２では、サーミスタ１２０によって得られる定着ローラ３１の温度（Ｔ）を検出し、ステップＳ３３では目標温度（Ｔtarget）とサーミスタ１２０から得られる温度（Ｔ）の温度差（ΔＴ）を算出する。次に、ステップＳ３４ではステップＳ３３で算出された温度差（ΔＴ）に基いて電力の供給量（Ｐ）を決定する。
【００４１】
ステップＳ３５では発熱体に供給される電力（Ｐ）が目標電力（Ｐｔａｒｇｅｔ）に達したかどうかを調べる。供給電力（Ｐ）は電力検知部１２５により検知される。ここで、Ｐ≧Ｐｔａｒｇｅｔである（目標電力以上）と判断された場合、処理はステップＳ３６に進み、目標電力に達した回数を計数するカウンタ（ＣＮＴ）の値を“＋１”インクリメントする。これに対して、Ｐ＜Ｐｔａｒｇｅｔである（目標電力未満）と判断された場合、処理はステップＳ３７は進む。
【００４２】
ステップＳ３７では印刷ジョブ開始から数えてＮ枚目のカット紙が定着部を通過したかどうかを調べる。ここで、カット紙の通紙枚数がＮ枚に達したと判断されたなら、処理はステップＳ３８に進み、Ｎ枚に達していないと判断されたなら、処理はステップＳ３２に戻り、ステップＳ３２〜ステップＳ３７の処理を予め決めた間隔で繰り返す。
【００４３】
ステップＳ３８では通紙中の代表温度（Ｔｒｐｓｔ）を算出する。
【００４４】
なお、通紙中の代表温度（Ｔｒｐｓｔ）は、サーミスタ１２０がＮ枚のカット紙を通紙中に検出したｎ個の温度の平均値｛（１／ｎ）ΣＴｉ｝としても良いし、最大値（Ｔｍａｘ）や最小値（Ｔｍｉｎ）としても良い。また、任意の時間（ｔs≦ｔ≦ｔe）の間に得られた温度の平均（Ｔａｖｅ）としても良い。従って、通紙中の代表温度（Ｔｒｐｓｔ）は、次のように表わされる。即ち、
Ｔｒｐｓｔ＝｛（１／ｎ）ΣＴｉ｝（ｉ＝１〜ｎ、ｎは得られた温度データの個数）、又は、Ｔｍａｘ、又は、Ｔｍｉｎ、又は、Ｔａｖｅである。
【００４５】
ステップＳ３９では、ステップＳ３８で算出した代表温度（Ｔｒｐｓｔ）と目標温度（Ｔｔａｒｇｅｔ）を比較し、代表温度（Ｔｒｐｓｔ）が目標温度（Ｔｔａｒｇｅｔ）未満であるかどうかを調べることにより、検出される温度と目標温度との乖離を評価する。
【００４６】
ここで、Ｔｒｐｓｔ＜Ｔｔａｒｇｅｔ（代表温度が目標温度未満）である場合、カット紙に形成された画像の熱定着に必要な温度が維持できていないことを示す。この場合、消費電力に余裕があるかどうかを評価するため、処理はステップＳ４１に進む。これに対して、Ｔｒｐｓｔ≧Ｔｔａｒｇｅｔ（代表温度が目標温度以上又は維持）である場合、カット紙に形成された画像の熱定着に必要な温度が維持できている状態を示す。この場合も、消費電力に余裕があるかどうかを評価するため、処理はステップＳ４０に進む。
【００４７】
ステップＳ４０では、カウンタ（ＣＮＴ）の値に基いて、通紙中の供給電力（Ｐ）が目標電力（Ｐｔａｒｇｅｔ）に一定回数（Ｎｔｈ）以上、達したかどうかを調べる。ここで、ＣＮＴ≧Ｎｔｈである（供給電力が目標電力に一定回数以上、達した）場合、供給可能な電力を最大限使用できており、カット紙の搬送間隔が適切であると判断し、処理はステップＳ４３に進み、カット紙間隔を維持とする。これに対して、ＣＮＴ＜Ｎｔｈである（供給電力が目標電力に達した回数が一定回数未満である）場合、供給可能な電力を最大限使用できておらず、カット紙の搬送間隔に余裕がある状態と判断し、処理はステップＳ４４に進み、カット紙間を短縮する。
【００４８】
さて、ステップＳ４１でも、ステップＳ４０と同様に、カウンタ（ＣＮＴ）の値に基いて、通紙中の供給電力（Ｐ）が目標電力（Ｐｔａｒｇｅｔ）に一定回数（Ｎｔｈ）以上、達したかどうかを調べる。ここで、ＣＮＴ≧Ｎｔｈである（供給電力が目標電力に一定回数以上、達した）場合、供給電力を最大限使用しても現状の画像熱定着を満足なものとできないと判断し、処理はステップＳ４２に進み、カット紙間隔を延長する。これに対して、ＣＮＴ＜Ｎｔｈである（供給電力が目標電力に達した回数が一定回数未満である）場合、供給可能な電力を最大限使用しておらず、次の通紙中に熱量を上げることが可能な状態と判断し、処理はステップＳ４３に進み、カット紙間隔を維持する。
【００４９】
なお、ステップＳ４２〜Ｓ４４における処理はＮ枚目とＮ＋１枚目のシート間から適用される。
【００５０】
ステップＳ４５ではカウンタ（ＣＮＴ）の値をリセットする。ステップＳ４６では印刷ジョブが終了したかどうかを調べる。ここで、印刷ジョブが終了していないと判断された場合には、次のカット紙の熱定着があるので、処理はステップＳ３２に戻り、上述の処理を繰り返す。これに対して、印刷ジョブが終了したと判断される場合、処理は終了する。
【００５１】
従って以上説明した実施例に従えば、印刷ジョブの実行中、Ｎ枚のカット紙への熱定着が終了するたび毎に、定着ローラの温度と目標温度の乖離と、供給電力と供給可能な上限電力との関係を評価する。そして、その評価に従ってカット紙間隔を長くしたり、短くしたり、維持したりすることができる。これにより、目標温度の回復に供給電力が十分でなくてもカット紙間隔を長めに調整することにより、供給可能な上限電力の範囲内で定着ローラは十分にその温度を目標温度にまで回復することができる。一方、目標温度の回復に供給電力が十分余裕がある場合には、カット紙間隔を短めに調整することにより、画像形成出力のスループットを向上させることができる。
【００５２】
なお、以上説明した実施例では、印刷ジョブの実行中、Ｎ枚のカット紙への熱定着が終了するたび毎に、定着ローラの温度と目標温度の乖離と、供給電力と供給可能な上限電力との関係を評価したが本発明はこれによって限定されるものではない。任意の時間の間にカウンタ（ＣＮＴ）の値を調べても良いし、カット紙各枚毎にカウンタ（ＣＮＴ）の値を調べても良い。
【００５３】
なお、上述した実施例では、単機能の画像形成装置を例として説明したが本発明はこれによって限定されるものではない。本発明は、例えば、画像読取装置（スキャナ装置）と画像形成装置（ＬＢＰ）とＡＤＦ装置が一体化した複写機システムにも適用できるし、さらに複写機システムにファクシミリ機能を加えた複合システムとしても良い。
【００５４】
また、上述した実施例では画像形成装置は電子写真方式に従って１つの感光ドラムを用いてモノクロ画像を形成する構成としたが、本発明はこれによって限定されるものではない。例えば、複数の感光ドラムに複数色のトナーにより画像を形成するフルカラー画像形成装置としてもよい。
【符号の説明】
【００５５】
２０  画像形成部、３０  定着部、３１  定着ローラ、
１００  画像形成装置、１１１  ＡＣ電源、１１２  メイン電源部、１１３  制御基板、
１１５  セロクロス検知回路、１１８  発熱体（ヒータ）、１２０  サーミスタ、
１２１  ＣＰＵ、１２５  電力検知部
【図１】
2017181583.tif 000003
【図２】
2017181583.tif 000004
【図３】
2017181583.tif 000005
【図４】
2017181583.tif 000006
【図５】
2017181583.tif 000007